(57)【要約】【課題】強度を確保しつつ摺動抵抗を低減してしてスムーズな動きを得ることができる魚掴み器を提供する。【解決手段】魚の口を掴むための魚掴み器であって、所定の可動平面に沿って移動する可動部と、該可動部を支持する固定部とを備え、固定部は、可動部が摺動する部分を構成する樹脂製のインナー部と、該インナー部の外側に位置し、インナー部よりも高剛性の材質からなるアウター部とを備え、アウター部は、板状のプレート部としての第一外側部材１８と第二外側部材とを備えている。【選択図】図１
2020089329.tif 000002
【特許請求の範囲】
【請求項１】
魚の口を掴むための魚掴み器であって、
所定の可動平面に沿って移動する可動部と、該可動部を支持する固定部とを備え、
固定部は、可動部が摺動する部分を構成する樹脂製のインナー部と、該インナー部の外側に位置し、インナー部よりも高剛性の材質からなるアウター部とを備え、
アウター部は、板状のプレート部を備えている、魚掴み器。
【請求項２】
プレート部は、可動平面に沿っている請求項１記載の魚掴み器。
【請求項３】
プレート部は、可動部に対して可動平面と直交する方向の両側のうち少なくとも一方に位置している請求項１又は２記載の魚掴み器。
【請求項４】
プレート部は、着脱自在である請求項１乃至３の何れかに記載の魚掴み器。
【請求項５】
インナー部は、プレート部の端面を覆うカバー壁を備えている請求項１乃至４の何れかに記載の魚掴み器。
【請求項６】
可動部は、魚の口を掴む際に操作され、インナー部の内側をスライドするスライダを備え、アウター部は、スライダに対して可動平面と直交する方向の両側にそれぞれプレート部を備えている請求項１乃至５の何れかに記載の魚掴み器。
【発明の詳細な説明】
【技術分野】
【０００１】
本発明は、魚の口を掴むための魚掴み器に関する。
【背景技術】
【０００２】
下記特許文献１のように、魚掴み器は、可動部と固定部とを備えている。可動部は、所定の可動面に沿って開閉する可動歯と、該可動歯を開くために操作されてスライドする操作体と、該操作体と可動歯とを連結する作動体とを備えている。固定部は、本体としての第一基板と第二基板とを備えている。このような魚掴み器においては、十分な強度を確保するために、可動歯や本体が金属製とされることがある。しかしながら、塩がみ等の影響によって摺動抵抗が大きくなって、スムーズな動きが得られにくいことがある。
【先行技術文献】
【特許文献】
【０００３】
【特許文献１】特開２００８−２８３９１５号公報
【発明の概要】
【発明が解決しようとする課題】
【０００４】
本発明は、強度を確保しつつ摺動抵抗を低減してスムーズな動きを得ることができる魚掴み器を提供することを課題とする。
【課題を解決するための手段】
【０００５】
本発明に係る魚掴み器は、魚の口を掴むための魚掴み器であって、所定の可動平面に沿って移動する可動部と、該可動部を支持する固定部とを備え、固定部は、可動部が摺動する部分を構成する樹脂製のインナー部と、該インナー部の外側に位置し、インナー部よりも高剛性の材質からなるアウター部とを備え、アウター部は、板状のプレート部を備えている。
【０００６】
可動部は、魚の口を掴む際に可動平面に沿って移動し、可動部を固定部が支持する。可動部が摺動する部分である固定部におけるインナー部は樹脂製であるため、可動部がスムーズに動くことになる。そして、高剛性のアウター部によって、固定部の強度が確保される。アウター部はプレート部を備えているので、簡単な構造で固定部の強度を確保することができる。プレート部は板状であるため、アウター部が外側に大きく膨出することを抑制でき、魚の口を掴む際に釣り人から魚の口を見やすい。
【０００７】
特に、プレート部は、可動平面に沿っていることが好ましい。プレート部が可動平面に沿っていると、可動平面と直交する方向の魚掴み器の寸法を小さくすることができ、魚の口を掴む際に釣り人から魚の口を見やすい。また、プレート部による補強効果によって、可動平面に沿った可動部の移動がスムーズになる。
【０００８】
また、プレート部は、可動部に対して可動平面と直交する方向の両側のうち少なくとも一方に位置していることが好ましい。このようにプレート部が可動部の側方に配置されると、固定部が効果的に補強されて可動部の移動がスムーズになる。
【０００９】
また、プレート部は、着脱自在であることが好ましい。例えば、プレート部を取り外すことで魚掴み器を軽量化することができる。対象魚が小型の場合にはプレート部を外して使用し、対象魚が大型の場合にはプレート部を取り付けて使用してもよい。また、軽量なプレート部を別途準備して、標準仕様の高剛性のプレート部を軽量なプレート部に交換したりすることもできる。プレート部を釣り人の好みのものに交換する等して、カスタマイズしてもよい。
【００１０】
また、インナー部は、プレート部の端面を覆うカバー壁を備えていることが好ましい。高剛性のプレート部の端面が樹脂製のインナー部のカバー壁によって覆われることにより、高剛性のプレート部の端面の露出を抑制することができ、シャープエッジを避けることができる。
【００１１】
また、可動部は、魚の口を掴む際に操作され、インナー部の内側をスライドするスライダを備え、アウター部は、スライダに対して可動平面と直交する方向の両側にそれぞれプレート部を備えていることが好ましい。スライダの両側にプレート部が配置されることにより、スライダの両側における固定部の強度が大きくなってスライダのスムーズな動きが得られる。そのため、魚の口を掴む際にスライダをスムーズに操作することができる。
【発明の効果】
【００１２】
以上のように、可動部を支持する固定部の内側部分であるインナー部を樹脂製とし、固定部の外側部分であるアウター部をインナー部よりも高剛性の材質とすると共にそのアウター部がプレート部を備えることにより、簡単な構造で強度を確保しつつ可動部の良好な摺動特性が得られ、魚掴み器の過度のサイズアップも抑制できる。
【図面の簡単な説明】
【００１３】
【図１】本発明の一実施形態における魚掴み器の閉状態の外観を示す正面図。
【図２】同魚掴み器の開状態の外観を示す正面図。
【図３】図１のＡ−Ａ断面図。
【図４】図１のＢ−Ｂ断面図。
【図５】同魚掴み器の閉状態の内部構造を示す正面図。
【図６】同魚掴み器の開状態の内部構造を示す正面図。
【図７】同魚掴み器の閉状態の内部構造を示す要部正面図。
【図８】同魚掴み器の開く途中の状態の内部構造を示す要部正面図。
【図９】同魚掴み器の開く途中の状態の内部構造を示す要部正面図。
【図１０】同魚掴み器の開く途中の状態の内部構造を示す要部正面図。
【図１１】同魚掴み器の開状態の内部構造を示す要部正面図。
【図１２】同魚掴み器の両掴み歯の開閉動作の軌跡を示す要部正面図。
【発明を実施するための形態】
【００１４】
以下、本発明の一実施形態に係る魚掴み器について図１〜図１２を参酌しつつ説明する。本実施形態における魚掴み器は、本体１と、魚の口を掴むための第一及び第二の掴み歯２，３と、本体１に対して移動可能に設けられた操作部材４と、第一の掴み歯２と操作部材４とにそれぞれ回動可能に連結されたリンク５と、操作部材４に付勢力を付与するバネ６とを備えている。操作部材４は、魚の口を掴む際に操作される。操作部材４と第一及び第二の掴み歯２，３は、リンク５を介して連動する。
【００１５】
魚掴み器は、魚の口を掴む際に所定の可動平面に沿って移動する可動部と、該可動部を支持する固定部とを備えている。可動平面は仮想の平面である。魚の口を掴む際に、可動部は固定部に対して移動し、固定部は不動である。固定部は、可動部が摺動する部分を構成するインナー部と、該インナー部の外側に位置するアウター部とを備えている。可動部は複数の可動部材を備えている。本実施形態において、可動部は、金属製の可動部材と樹脂製の可動部材とを備えている。本実施形態において、本体１が固定部であり、第一及び第二の掴み歯２，３と操作部材４とリンク５が可動部材である。また、第一及び第二の掴み歯２，３とリンク５が金属製の可動部材であり、操作部材４が樹脂製の可動部材である。但し、全ての可動部材が金属製であってもよく、全ての可動部材が樹脂製であってもよい。
【００１６】
第一及び第二の掴み歯２，３は、魚掴み器の前端部に位置している。第一及び第二の掴み歯２，３で魚の口の下顎あるいは上顎を掴む。第一及び第二の掴み歯２，３は、可動平面に沿って開閉する。即ち、可動平面は、可動歯が可動する可動面である。図１は、第一及び第二の掴み歯２，３が閉じた状態即ち閉状態を示し、図２は、第一及び第二の掴み歯２，３が最大に開いた状態即ち開状態を示している。また、図５及び図６は、本体１の一部を取り外した内部構造を示しており、それぞれ図１、図２に対応している。
【００１７】
本体１は、全体として前後方向に長い。本体１の前端部に第一及び第二の掴み歯２，３が位置している。本体１は、後部に把持部７を有している。本体１の長手方向を前後方向とし、第一及び第二の掴み歯２，３が位置する側を前側、把持部７が位置する側を後側とする。前後方向は、操作部材４のスライド方向である。また、第一及び第二の掴み歯２，３の開閉方向を上下方向とし、可動平面の法線方向を左右方向とする。第一及び第二の掴み歯２，３が開閉する平面、即ち可動平面は、前後方向と上下方向の二方向により特定される。前後方向が第一軸方向であり、上下方向が第一軸方向と直交する第二軸方向であり、左右方向が第一軸方向及び第二軸方向と直交する第三軸方向である。後述するように、操作部材４は、両掴み歯２，３を開く際に後側に引く操作がされるトリガ４１を有しており、該トリガ４１は突出して延びている。トリガ４１の突出方向を下側とし、それと反対側を上側とする。
【００１８】
＜本体１＞
本体１は、全体として、前後二つの部分に区画されている。本体１は、本体１の前部を構成するメインボディ１０と、該メインボディ１０の後側に位置し、本体１の後部を構成するホルダ１１とを備えている。メインボディ１０に、両掴み歯２，３、リンク５及び操作部材４が設けられ、ホルダ１１に把持部７が設けられている。メインボディ１０とホルダ１１は、互いに別体の構成である。メインボディ１０は、ホルダ１１に対して前後方向に移動可能である。メインボディ１０は、ホルダ１１から前側に離れるように移動でき、また、ホルダ１１に接近するように後側に移動できる。メインボディ１０は、ホルダ１１に対して出退自在である。ホルダ１１は、前端部に格納孔１２を有している。格納孔１２は前側に開口している。メインボディ１０の後端部が格納孔１２に格納される。図１等はメインボディ１０の後端部が格納孔１２に格納された状態を示している。メインボディ１０は、格納孔１２の壁面をガイド面として前後方向にスライドする。
【００１９】
ホルダ１１は内部に量り部１３を備えている。量り部１３は、バネばかりである。メインボディ１０とホルダ１１は量り部１３を介して接続されている。メインボディ１０は、量り部１３のバネによって後側に付勢されていて、通常は、図１のようにメインボディ１０の後端部は格納孔１２に格納されている。両掴み歯２，３で魚の口を掴み、メインボディ１０を下側にホルダ１１を上側に位置するようにしてホルダ１１を把持すると、メインボディ１０が魚の重さによってホルダ１１から下側に離れるように移動し、ホルダ１１の量り部１３によって魚の重さを測定できる。量り部１３の目盛りは、ホルダ１１の窓１４から見ることができる。
【００２０】
メインボディ１０は前後方向に沿って長い形状である。メインボディ１０は上下方向の寸法よりも左右方向の寸法が小さい。即ち、メインボディ１０は、左右方向に偏平した形状である。メインボディ１０は、図３及び図４にも示しているように、内側ボディと、内側ボディの外側に位置する外側ボティとを備えている。本実施形態において内側ボディがインナー部であり、外側ボディがアウター部である。内側ボディと外側ボティは、互いに材質が異なっていることが好ましく、外側ボディは内側ボディよりも強度が大きいことが好ましい。
【００２１】
外側ボディは内側ボディよりも高剛性（高強度）の材質から構成されていることが好ましい。内側ボディは樹脂製であることが好ましい。内側ボディは例えばポリアセタール樹脂（ＰＯＭ）等の摺動性に優れたものであることが好ましい。外側ボディは樹脂よりも高剛性の材質、例えば金属製や繊維強化樹脂製であることが好ましい。外側ボディを金属製とする場合には、例えばステンレス鋼とすることができる。また、外側ボディを繊維強化樹脂製とする場合には、例えば強化繊維としてカーボン繊維を使用することができる。強化繊維は、数ミリ単位にカットされたものや数十ミリ単位にカットされたものの他、長繊維であってもよい。外側ボディは、各種のプリプレグから形成することができ、また、短繊維を含有する樹脂を射出成形することによって形成することもできる。プリプレグとしては、例えばカーボンＵＤプリプレグ等が使用できる。カーボン繊維の方向は例えば前後方向とすることができ、ＵＤプリプレグを繊維の方向を変えて重ね合わせて使用してもよい。内側ボディを樹脂製とし、外側ボティを金属製とすれば、メインボディ１０が金属製の部材と樹脂製の部材とが組み合わされたハイブリッド構造となり、樹脂製の部材が内側に配置され、金属製の部材が外側に配置されることになる。以下、内側ボディが樹脂製であって外側ボティが金属製である場合を例に説明する。
【００２２】
内側ボディは一つの部材から構成されていてもよいが、本実施形態では左右に分割された二つの部材から構成されている。内側ボディは、左側に位置する第一内側部材１５と、右側に位置する第二内側部材１６とを備えている。第一内側部材１５と第二内側部材１６は、互いに左右方向に対向している。内側ボディは、空洞部１７を有している。該空洞部１７は、第一内側部材１５と第二内側部材１６との間に形成されている。空洞部１７に、両掴み歯２，３、リンク５、及び操作部材４が位置している。両掴み歯２，３、リンク５、及び操作部材４は、内側ボディと摺動し、外側ボディとは摺動しない。図３及び図４のように、空洞部１７は下方に開口しており、内側ボディは、下方に開口した断面視コの字状である。第一内側部材１５と第二内側部材１６はそれぞれの上端部において互いに当接している。
【００２３】
外側ボディは一つの部材から構成されていてもよいが、本実施形態では左右に分割された二つの部材から構成されている。外側ボディは、左側に位置する第一外側部材１８と右側に位置する第二外側部材１９とを備えている。第一外側部材１８は第一内側部材１５の外側であって左側に位置し、第二外側部材１９は第二内側部材１６の外側であって右側に位置している。第一外側部材１８は第一内側部材１５よりも薄いことが好ましく、第二外側部材１９は第二内側部材１６よりも薄いことが好ましい。第一外側部材１８及び第二外側部材１９は、それぞれ金属板であることが好ましく、また、平板であることが好ましい。本実施形態において第一外側部材１８及び第二外側部材１９が板状のプレート部である。
【００２４】
第一外側部材１８及び第二外側部材１９は、一定の板厚を有している。第一外側部材１８及び第二外側部材１９は、可動平面に沿っている。第一外側部材１８及び第二外側部材１９は、互いに分離独立していて、互いに平行である。両掴み歯２，３、リンク５、及び操作部材４の左右両側にそれぞれ第一外側部材１８と第二外側部材１９が位置している。第一及び第二外側部材１８，１９は、メインボディ１０の左右両側面のそれぞれ大部分を占めている。第一及び第二外側部材１８，１９は、前後方向に長い形状であり、メインボディ１０に沿って延びている。第一及び第二外側部材１８，１９は、メインボディ１０の前端部近傍からトリガガード４５の後端部の上側位置までの範囲に位置している。即ち、第一及び第二外側部材１８，１９は、操作部材４が最も後まで移動した位置の外側位置まで延びている。第一及び第二外側部材１８，１９は、空洞部１７の後端部の外側位置まで達しており、空洞部１７の後端部を後側に越えた位置まで延びている。第一及び第二外側部材１８，１９の後部は、ホルダ１１の内側に入り込む。
【００２５】
第一外側部材１８及び第一内側部材１５と、第二外側部材１９及び第二内側部材１６とは、連結スリーブ２０と左右一対のネジ２１，２２とにより左右に連結されている。連結スリーブ２０の内周面には図示しない雌ネジが形成されており、該雌ネジに左右のネジ２１，２２が螺合している。このようにメインボディ１０は、樹脂製の内側ボディが左右一対の金属製の第一及び第二外側部材１８，１９によって挟まれたサンドイッチ構造である。
【００２６】
第一外側部材１８及び第二外側部材１９は、内側ボディに対して着脱自在である。第一外側部材１８と第二外側部材１９は、それぞれ第一内側部材１５と第二内側部材１６にネジ止めされており、第一内側部材１５と第二内側部材１６から容易に取り外すことができる。具体的には、第一外側部材１８と第二外側部材１９は、ネジ２１，２２の他、前端部と後端部の二箇所において第一内側部材１５と第二内側部材１６にネジ止めされている。前端部においてはネジ２６により第一内側部材１５と第二内側部材１６に取り付けられており、後端部においても図示しないネジにより第一内側部材１５と第二内側部材１６に取り付けられている。従って、第一外側部材１８と第二外側部材１９は、それぞれ第一内側部材１５と第二内側部材１６から容易に取り外すことができる。また、第一外側部材１８と第二外側部材１９は、互いに分離独立した構成であるため、それぞれ個別に第一内側部材１５と第二内側部材１６から取り外すことができる。第一外側部材１８と第二外側部材１９を取り外すことにより、メインボディ１０を軽量化できる。第一外側部材１８と第二外側部材１９を両方共に取り外したり、一方のみを取り外したりすることができる。対象魚が小型の場合には、強度よりも軽量化を優先させて第一外側部材１８や第二外側部材１９を取り外して使用してもよい。また、金属製の第一外側部材１８や第二外側部材１９に代えて、別途、樹脂製の第一外側部材１８や第二外側部材１９を準備しておけば、その樹脂製の第一外側部材１８や第二外側部材１９に交換して使用することもできる。
【００２７】
内側ボディは、左右両側面にそれぞれ内側に向けて凹んだ凹部２３，２４を有している。第一内側部材１５と第二内側部材１６は、それぞれの外面に凹部２３，２４を有している。凹部２３，２４にそれぞれ第一外側部材１８と第二外側部材１９が嵌り込んでいる。第一外側部材１８の周縁部の端面１８ａの全周が第一内側部材１５の凹部２３の壁面２３ａによって覆われている。凹部２３の壁面２３ａが第一外側部材１８の端面１８ａを覆うカバー壁である。第二外側部材１９の周縁部の端面１９ａの全周が第二内側部材１６の凹部２４の壁面２４ａによって覆われている。凹部２４の壁面２４ａが第二外側部材１９の端面１９ａを覆うカバー壁である。金属製の第一外側部材１８及び第二外側部材１９の端面１８ａ，１９ａがそれぞれ樹脂製の第一内側部材１５及び第二内側部材１６のカバー壁によってカバーされるので、第一外側部材１８及び第二外側部材１９の端面１８ａ，１９ａの処理の負担が軽減される。尚、メインボディ１０の全体を例えば硬質の合成樹脂から成形により形成してもよい。その場合、メインボディ１０の材質は、特に、繊維強化樹脂が好ましく、長さが１ｍｍ以下の短繊維を強化繊維とした繊維強化樹脂が好ましい。また、強化繊維としてはカーボン繊維が好ましい。
【００２８】
＜掴み歯２，３＞
第一の掴み歯２は、第二の掴み歯３の上側に位置している。第一及び第二の掴み歯２，３は、何れも本体１に対して移動する可動歯である。第一の掴み歯２は、前後方向に沿って上側に向けて湾曲した形状となっている。第一の掴み歯２の先部は、下側に向けて延びており、第一の掴み歯２の先端部２ａは下側を向いている。第二の掴み歯３は、前後方向に沿って下側に向けて湾曲した形状となっている。第二の掴み歯３の先部は上側に向けて延びており、第二の掴み歯３の先端部３ａは上側を向いている。第一の掴み歯２の先端部２ａと第二の掴み歯３の先端部３ａは互いに上下に対向している。閉状態において、第一の掴み歯２の先端部２ａと第二の掴み歯３の先端部３ａは互いに当接する。但し、閉状態において、第一の掴み歯２の先端部２ａと第二の掴み歯３の先端部３ａとの間に隙間が形成されてもよい。
【００２９】
メインボディ１０は、前部の上部に第一の回動支軸３０を備えている。第一の回動支軸３０は、左右方向に沿って延びている。第二の掴み歯３の後端部（基端部）は、第一の回動支軸３０に回動可能に支持されている。第二の掴み歯３は、第一の回動支軸３０を中心として回動する。閉状態において、第二の掴み歯３の先端部３ａは第一の回動支軸３０に対して前側に位置する。閉状態において、第二の掴み歯３の先端部３ａは第一の回動支軸３０に対して下側に位置している。図７のように、閉状態において正面視で第一の回動支軸３０と第二の掴み歯３の先端部３ａとを結ぶ直線１００は、第一の回動支軸３０を通る前後方向に沿った水平線１０１に対して反時計回りに４５度未満の角度θ１で傾斜している。図１及び図２のような正面視において、第二の掴み歯３は、反時計回りに回動しながら開く。
【００３０】
魚掴み器は、第一の掴み歯２と第二の掴み歯３とを互いに連結する第一の連結軸３１を備えている。第一の連結軸３１は、左右方向に沿って延びている。第一の掴み歯２は、第二の掴み歯３に第一の連結軸３１を介して回動可能に連結されており、第一の掴み歯２は、第一の連結軸３１を中心として回動する。第一の連結軸３１は本体１に固定されておらず本体１に対して移動できる。第一の連結軸３１は、第二の掴み歯３と一体に、第一の回動支軸３０を中心として回動する。第一の連結軸３１は、第二の掴み歯３の基端部と先端部３ａとの間に位置し、第一の回動支軸３０と第二の掴み歯３の先端部３ａとの間に位置している。第一の連結軸３１は、第一の掴み歯２の基端部と先端部２ａとの間に位置している。閉状態において、第一の連結軸３１は、第一の回動支軸３０に対して前側且つ下側に位置している。閉状態において、第一の連結軸３１は、第一の回動支軸３０と第二の掴み歯３の先端部３ａとを結ぶ直線１００よりも下側に位置している。閉状態において、第一の掴み歯２の先端部２ａと第二の掴み歯３の先端部３ａは、第一の連結軸３１よりも若干下側に位置している。第一の掴み歯２は、第一の連結軸３１を中心として、正面視時計回りに回動しながら開く。
【００３１】
魚掴み器は、第一の掴み歯２とリンク５とを互いに連結する第二の連結軸３２を備えている。第一の掴み歯２の基端部とリンク５の前端部（先端部）とが第二の連結軸３２によって回動可能に連結されている。第二の連結軸３２は本体１に固定されておらず本体１に対して移動できる。第二の連結軸３２は左右方向に沿って延びている。第二の連結軸３２は、第一の回動支軸３０と前後方向の位置が略同じであって、第一の回動支軸３０の略真下に位置している。第二の連結軸３２は、閉状態において、第一の連結軸３１よりも後側且つ下側に位置している。
【００３２】
メインボディ１０は、後部に第二の回動支軸３３を備えている。第二の回動支軸３３は、左右方向に沿って延びている。第二の回動支軸３３は、第一の回動支軸３０よりも後側に位置しており、第一の回動支軸３０よりも下側に位置している。リンク５は前後方向に長い形状である。リンク５の後端部（基端部）が第二の回動支軸３３に回動可能に支持されている。リンク５は、第二の回動支軸３３を中心として上下に回動する。リンク５は、閉状態から開状態にかけて第二の回動支軸３３を中心として、正面視反時計回りに回動する。
【００３３】
＜操作部材４＞
操作部材４は、メインボディ１０に対してスライド可能である。操作部材４のスライド方向は前後方向である。操作部材４は、第一及び第二の掴み歯２，３に対して接近離反する方向に沿ってスライドする。操作部材４は、前後方向に長い形状のスライダ４０と、該スライダ４０の後部下面から下方に突出するトリガ４１とを有している。スライダ４０は前後方向に延びるガイド孔４３を有している。ガイド孔４３はスライダ４０を左右方向に貫通する貫通孔である。ガイド孔４３を第二の回動支軸３３が挿通している。操作部材４は本実施形態では樹脂製であるが金属製であってもよい。
【００３４】
使用者は、トリガ４１の前面に指を掛けて引く操作を行う。トリガ４１には例えば把持部７を把持する手の人差し指や中指が引っ掛けられる。メインボディ１０は、後部の下部に、左右方向に貫通した指挿入孔４２を有している。指挿入孔４２にトリガ４１が上側から突出している。指挿入孔４２は、メインボディ１０の内側ボディに形成されている。指挿入孔４２は、第一内側部材１５と第二内側部材１６にそれぞれ形成されていて、第一内側部材１５の指挿入孔と第二内側部材１６の指挿入孔とが結合一体化して一つの指挿入孔４２が構成されている。
【００３５】
内側ボディは、指挿入孔４２の周囲に、即ち、指挿入孔４２の前方、下方、後方の三方を包囲する、トリガガード４５を備えている。トリガガード４５において第一内側部材１５と第二内側部材１６は互いに当接している。内側ボディは、下側に開口した開口部２５を有している。その開口部２５を介して空洞部１７と指挿入孔４２とは連通している。開口部２５からトリガ４１が下方に突出している。尚、開口部２５は、前後方向に沿って延びたスリット状である。開口部２５は、内側ボディの前端部まで延びていて、内側ボディの前端部における開口部２５から第一及び第二の掴み歯２，３が前方に突出している。
【００３６】
バネ６は、例えばコイルバネ６であり、例えば圧縮バネ６である。バネ６は、操作部材４を前側に付勢している。バネ６が操作部材４を前側に付勢することにより、両掴み歯２，３は閉じ側に付勢されている。
【００３７】
魚掴み器は、操作部材４とリンク５とを互いに連結する第三の連結軸３４を備えている。第三の連結軸３４は、スライダ４０の前端部に固定されている。第三の連結軸３４は左右方向に沿って延びている。第三の連結軸３４はスライダ４０を左右方向に貫通している。メインボディ１０は前後方向に延びるガイド溝５０，５１を有している。ガイド溝５０，５１は左右一対形成されている。左右のガイド溝５０，５１はそれぞれ第一内側部材１５と第二内側部材１６に形成されている。左右のガイド溝５０，５１はそれぞれ第一内側部材１５と第二内側部材１６を貫通している。第三の連結軸３４の両端部はそれぞれ左右のガイド溝５０，５１に係合しており、第三の連結軸３４は左右のガイド溝５０，５１に案内されながら前後方向にスライドする。第三の連結軸３４がガイド溝５０，５１をスライドすることにより、操作部材４が前後にスライドする。
【００３８】
リンク５の前後方向の中間部には、長孔４４が形成されている。該長孔４４に第三の連結軸３４が係合している。第三の連結軸３４は、長孔４４を移動する。長孔４４は、前後方向に対して傾斜した方向に沿って延びている。長孔４４の前端部は後端部に比して下側に位置している。操作部材４の後側へのスライドに伴って第三の連結軸３４が後側にスライドすると、第三の連結軸３４がリンク５を第二の回動支軸３３を中心として正面視反時計回りに回動させる。
【００３９】
両掴み歯２，３は、操作部材４のトリガ４１を後側に引くことにより、図７に示す閉状態から図１１に示す開状態まで開いていく。図７〜図１１に、両掴み歯２，３のそれぞれの先端部２ａ，３ａの軌跡２００，２０１を一点鎖線で示している。また、図７と図１１には、第一の連結軸３１の軌跡３００と第二の連結軸３２の軌跡３０１をそれぞれ一点鎖線で示している。また、図１２には、両掴み歯２，３の開閉動作をコマ送り的に示している。図１，図２及び図１２において、閉状態の両掴み歯２，３の先端部２ａ，３ａを通る前後方向の直線を基準線１０２としたとき、両掴み歯２，３はその基準線１０２に対して上下に非対称に開く。
【００４０】
第一の掴み歯２は、開くとき、後側に移動しながら上側に移動するが、主として後側に移動する。即ち、第一の掴み歯２は、開くとき、後側への移動量が上側への移動量よりも大きい。第一の掴み歯２は、開閉する際、下側凸に湾曲した軌跡２００を描きつつ移動する。第二の掴み歯３は、開くとき、後側に移動しながら下側に移動するが、主として下側に移動する。即ち、第二の掴み歯３は、開くとき、下側への移動量が後側への移動量よりも大きい。第二の掴み歯３は、開閉する際、前側凸に湾曲した軌跡２０１を描きつつ移動する。尚、図１１のように、開状態において正面視で第一の回動支軸３０と第二の掴み歯３の先端部３ａとを結ぶ直線１００と第一の回動支軸３０を通る前後方向に沿った水平線１０１との間の角度θ２は、角度θ１よりも大きく、４５度以下である。
【００４１】
このように本実施形態の魚掴み器は、両掴み歯２，３が何れも本体１に対して移動する可動歯であるため、両掴み歯２，３のうちの一方のみが可動歯であるものに比して、開状態において両掴み歯２，３の大きな開き量を容易に確保できる。そのため、開状態で例えば第一の掴み歯２を魚の口の中に入れやすい。そして、第二の掴み歯３を魚の口の外側に位置させて、両掴み歯２，３で魚の口の上顎や下顎を挟むことができる。また、第一及び第二の掴み歯２，３の開閉動作は互いに上下非対称であるため、魚の口を掴む際に、両掴み歯２，３のうちの一方を基準とすることが容易である。使用者は閉状態における両掴み歯２，３の閉じ位置、即ち、両掴み歯２，３の先端部２ａ，３ａ同士の当接位置あるいは最接近位置をイメージしやすい。第一の掴み歯２を魚の口の中に入れる場合、その第一の掴み歯２を基準として、両掴み歯２，３の閉状態をイメージしやすい。そのため、魚の口を両掴み歯２，３で確実に掴むことができる。
【００４２】
更に、第一の掴み歯２の移動量が第二の掴み歯３の移動量よりも小さく、特に、第一の掴み歯２は、第二の掴み歯３よりも、上下方向の移動量が小さいので、第一の掴み歯２を魚の口の中に入れて、第一の掴み歯２を基準として魚の口を容易に掴むことができる。第一の掴み歯２は、主として前後方向に移動して上下方向の移動量が小さいので、第一の掴み歯２を基準として閉状態を容易にイメージすることができる。更に、第一の掴み歯２は、閉じる時に前側に移動するので、魚の口の中に入れた第一の掴み歯２が魚の口の奥側に移動しつつ魚の口を掴むことができ、魚の口を確実に掴むことができる。一方、第二の掴み歯３は、主として上下方向に移動するので、閉状態における両掴み歯２，３の大きな開き量を確保することができる。
【００４３】
また、第二の掴み歯３は、本体１に対して位置が不変の第一の回動支軸３０を中心として回動する一方、第一の掴み歯２は、本体１に対して位置が変わる第一の連結軸３１によって第二の掴み歯３に回動可能に連結されている。魚を掴んで吊り下げた際、第二の掴み歯３に魚の自重が作用して第二の掴み歯３が前側に引っ張られると第二の掴み歯３には閉じ方向の力が作用する。その力によって第一の連結軸３１が前側に移動し、第一の掴み歯２に閉じ方向の力が作用することになる。同様に、第一の掴み歯２に魚の自重が作用して第一の掴み歯２に閉じ方向の力が作用すると、第一の連結軸３１が前側に移動して第二の掴み歯３に閉じ方向の力が作用することになる。そのため、魚が暴れたりした場合に、両掴み歯２，３が閉じ側に移動しようとするので、魚の口をより一層強固に掴むことができる。
【００４４】
魚の口を掴む際に、第一及び第二の掴み歯２，３と操作部材４とリンク５は可動平面に沿って移動する。その際、内側ボディが第一及び第二の掴み歯２，３と操作部材４とリンク５を左右両側から支持する。内側ボディが樹脂製であるため、内側ボディが金属製である場合に比して、第一及び第二の掴み歯２，３と操作部材４とリンク５がスムーズに動く。特に、金属製である第一及び第二の掴み歯２，３とリンク５が樹脂製の内側ボディと摺動するため、第一及び第二の掴み歯２，３とリンク５のスムーズな動きが得られる。内側ボディはメインボディ１０の主要部分を構成しているが、その内側ボディが樹脂製であるため、複雑な形状であっても容易に形成することができる。特に、内側ボディを左右二分割の構成としているため、内側ボディが容易に形成でき、空洞部１７の形成も容易である。
【００４５】
内側ボディの外側には金属製の部材である第一外側部材１８及び第二外側部材１９を備えているので、メインボディ１０の主要部分である内側ボディが樹脂製であってもメインボディ１０の強度を十分に確保することができる。第一外側部材１８及び第二外側部材１９は板状であるため、簡単な構造でメインボディ１０の強度を確保することができる。しかも、第一外側部材１８及び第二外側部材１９は可動平面に沿った板状であるため、メインボディ１０の外側に大きく膨出することを抑制できる。即ち、メインボディ１０の左右方向の寸法を抑制することができる。そのため、魚の口を掴む際にメインボディ１０が視界の邪魔になりにくく、魚の口を容易に確認しながら魚の口を掴むことができる。
【００４６】
第一外側部材１８及び第二外側部材１９は、可動部である第一及び第二の掴み歯２，３と操作部材４とリンク５から離れており、これらの可動部材とは接触しない。特に、第一外側部材１８及び第二外側部材１９は、金属製の可動部材である第一及び第二の掴み歯２，３とリンク５から離れていてこれらの金属製の可動部材とは摺動しないので、金属製の部材同士の摺動が抑制され、良好な摺動特性が得られる。操作部材４のスライダ４０の左右両側に第一外側部材１８及び第二外側部材１９が配置されているので、スライダ４０の左右両側におけるメインボディ１０の剛性が高まり、スライダ４０の移動がスムーズになる。そのため、魚の口を掴む際に、操作部材４をスムーズに操作することができる。リンク５の左右両側に第一外側部材１８及び第二外側部材１９が位置しているので、リンク５の動きがスムーズになり、スライダ４０の動きを第一及び第二の掴み歯２，３に確実に伝達できる。そして、第一及び第二の掴み歯２，３の基部の左右両側に第一外側部材１８及び第二外側部材１９が位置しているので、第一及び第二の掴み歯２，３リンク５の動きがスムーズになり、魚を確実且つ容易に掴むことができる。
【００４７】
第一外側部材１８及び第二外側部材１９の端面１８ａ，１９ａは、第一内側部材１５及び第二内側部材１６の凹部２３，２４の壁面２３ａ，２４ａによってカバーされており、第一外側部材１８及び第二外側部材１９の端面１８ａ，１９ａの露出が抑制されている。そのため、シャープエッジの露出を避けることができる。また、第一外側部材１８及び第二外側部材１９の端面１８ａ，１９ａの露出が抑制されるので、第一外側部材１８及び第二外側部材１９の端面１８ａ，１９ａを滑らかに加工処理する程度が少なくて済み、加工コストが削減される。
【００４８】
第一外側部材１８と第二外側部材１９を取り外すことで魚掴み器を軽量化することもできる。対象魚が小型の場合には第一外側部材１８や第二外側部材１９を取り外して使用することができる。対象魚が大型の場合には第一外側部材１８や第二外側部材１９を取り付けて使用することができる。また、樹脂製の第一外側部材１８や第二外側部材１９に交換してもよい。このように、第一外側部材１８や第二外側部材１９を釣り人の好みや対象魚に応じて種々交換して楽しむことができる。第一外側部材１８と第二外側部材１９が互いに分離独立した構成であるので、一方だけを樹脂製のものに代えたりして、強度や重量を調整することもできる。
【００４９】
尚、本実施形態では、第一外側部材１８と第二外側部材１９が互いに分離独立した構成であったが、第一外側部材１８と第二外側部材１９が連結一体化された構成であってもよい。例えば、内側ボディの上面の上側に、第一外側部材１８と第二外側部材１９とを連結する連結部を備えて、その連結部と第一外側部材１８及び第二外側部材１９とが一つの部材として構成されていてもよい。連結部は種々の形状であってよく、一例としては、板状であってよい。即ち、連結部も一つのプレート部としてよい。第一外側部材１８や第二外側部材１９を各種の板金によって構成することも好ましく、連結部と合わせて板金の折り曲げによって構成することも好ましい。
【００５０】
また、第一外側部材１８と第二外側部材１９が互いに分離独立した構成の場合には、第一外側部材１８と第二外側部材１９のうちの一方が着脱できる構成であってもよい。第一外側部材１８と第二外側部材１９のうちの一方が金属製で他方が樹脂製であってもよい。上記実施形態では、第一外側部材１８と第二外側部材１９の双方を備えた構成であったが、何れか一方のみを備えた構成としてもよい。また、メインボディ１０の左右の側面にプレート部として第一外側部材１８と第二外側部材１９を備えていたが、例えばメインボディ１０の上面にアウター部のプレート部を備える構成としてもよい。第一外側部材１８や第二外側部材１９は、メインボディ１０の側面の大部分を占める構成には限られず、例えばメインボディ１０の側面のうち前部のみであったり後部のみであったり中央部のみであったりしてもよい。
【００５１】
内側ボディの側面に凹部２３，２４を形成することによりその凹部２３，２４の壁面２３ａ，２４ａからカバー壁を構成したが、内側ボディの側面に外側に向けて突条を形成してその突条の側面をカバー壁としてもよい。
【００５２】
第一及び第二の掴み歯２，３が何れも可動歯であったが、一方が可動歯で他方が固定歯であってもよい。
【符号の説明】
【００５３】
１    本体（固定部）
２    第一の掴み歯（可動部）
２ａ  先端部
３    第二の掴み歯（可動部）
３ａ  先端部
４    操作部材（可動部）
５    リンク（可動部）
６    バネ
７    把持部
１０    メインボディ（固定部）
１１    ホルダ
１２    格納孔
１３    量り部
１４    窓
１５    第一内側部材（インナー部）
１６    第二内側部材（インナー部）
１７    空洞部
１８    第一外側部材（アウター部、プレート部）
１９    第二外側部材（アウター部、プレート部）
２０    連結スリーブ
２１    ネジ
２２    ネジ
２３    凹部
２３ａ  壁面（カバー壁）
２４    凹部
２４ａ  壁面（カバー壁）
２５    開口部
２６    ネジ
３０    第一の回動支軸
３１    第一の連結軸
３２    第二の連結軸
３３    第二の回動支軸
３４    第三の連結軸
４０    スライダ
４１    トリガ
４２    指挿入孔
４３    ガイド孔
４４    長孔
４５    トリガガード
５０    ガイド溝
５１    ガイド溝
１００  直線
１０１  水平線
１０２  基準線
２００  第一の掴み歯の先端部の軌跡
２０１  第二の掴み歯の先端部の軌跡
３００  第一の連結軸の軌跡
３０１  第二の連結軸の軌跡
【図１】
2020089329.tif 000003
【図２】
2020089329.tif 000004
【図３】
2020089329.tif 000005
【図４】
2020089329.tif 000006
【図５】
2020089329.tif 000007
【図６】
2020089329.tif 000008
【図７】
2020089329.tif 000009
【図８】
2020089329.tif 000010
【図９】
2020089329.tif 000011
【図１０】
2020089329.tif 000012
【図１１】
2020089329.tif 000013
【図１２】
2020089329.tif 000014